(57)【要約】切替信号に応じて、第１スイッチ回路（２１）は時分割多重された複数の番組を表す第１無線信号及びそれとは別の第２無線信号の一方を出力し、電圧制御発振器（２７）は出力された信号に適した周波数のローカル信号を生成し、周波数変換器（２４）は生成されたローカル信号を用いて第１無線信号及び第２無線信号をそれぞれ第１ベースバンド信号及び第２ベースバンド信号に周波数変換する。  第１ベースバンド処理部（４０）及び第２ベースバンド処理部（５０）は第２スイッチ（３１）を介してそれぞれ第１ベースバンド信号及び第２ベースバンド信号を供給されそれらを第１データ信号及び第２データ信号に復調する。  切替指示部（６０）は、第１無線信号が利用者から指定された番組を表す期間を示す切替信号をチューナ部（２０）へ供給することにより、チューナ部（２０）に第１無線信号と第２無線信号とをタイムシェア処理させる。
2006524465.tif 000002
【特許請求の範囲】
【請求項１】
放送サービスである第１サービスに関係し時分割多重された複数の番組を表すと共に個々の番組が表される期間を表す第１無線信号と、第２サービスに関係する第２無線信号とを受信し、前記複数の番組のうち利用者から指定された指定番組の再生と前記第２無線信号に基づく所定の処理とを行う無線端末装置であって、
切替信号に応じて、受信された第１無線信号を周波数変換して得られる第１ベースバンド信号、及び受信された第２無線信号を周波数変換して得られる第２ベースバンド信号の何れか一方を生成するチューナ手段と、
前記第１ベースバンド信号を第１データ信号に復調する第１ベースバンド処理手段と、
前記第２ベースバンド信号を第２データ信号に復調する第２ベースバンド処理手段と、
前記第１無線信号の前記指定番組に関係する部分が受信される期間を前記第１データ信号を参照して特定し、当該特定された期間を含む第１期間を示す切替信号を前記チューナ手段へ出力することによって、当該第１期間に前記第１ベースバンド信号を生成し、当該第１期間以外の第２期間に前記第２ベースバンド信号を生成するよう前記チューナ手段を制御する切替指示手段とを備え、
前記第１データ信号から前記指定番組を再生し、前記第２データ信号を用いて前記所定の処理を行うことを特徴とする無線端末装置。
【請求項２】
前記チューナ手段は、前記切替信号に応じて、前記第１期間に前記第１無線信号から前記第１ベースバンド信号を得るための第１周波数のローカル信号を生成し、前記第２期間に前記第２無線信号から前記第２ベースバンド信号を得るための第２周波数のローカル信号を生成する局部発振部を備え、
前記チューナ手段は、前記ローカル信号を用いて前記第１無線信号及び前記第２無線信号を周波数変換することによって前記第１ベースバンド信号及び前記第２ベースバンド信号を生成することを特徴とする請求項１記載の無線端末装置。
【請求項３】
前記第２サービスは双方向通信サービスであり、
前記第２ベースバンド処理手段は、前記第２ベースバンド信号を第２データ信号に復調し、かつ前記第２サービスに関する送信用の第３データ信号を第３ベースバンド信号に変調し、
さらに、前記第３ベースバンド信号を周波数変換して得た第３無線信号を送信する送信手段を備えることを特徴とする請求項２記載の無線端末装置。
【請求項４】
前記局部発振部は、さらに前記双方向通信の送信期間に第３周波数のローカル信号を生成し、
前記送信手段は、前記第３ベースバンド信号を前記局部発振部によって生成された前記第３周波数のローカル信号を用いて周波数変換することによって第３無線信号を得て送信することを特徴とする請求項３記載の無線端末装置。
【請求項５】
前記チューナ手段は、
前記切替信号に応じて、前記第１期間にのみ第１ローカル信号を生成し、前記第１無線信号を当該第１ローカル信号を用いて周波数変換することによって前記第１ベースバンド信号を生成する第１チューナ部と、
前記切替信号に応じて、前記第２期間にのみ第２ローカル信号を生成し、前記第２無線信号を当該第２ローカル信号を用いて周波数変換することによって前記第２ベースバンド信号を生成する第２チューナ部とを備えることを特徴とする請求項１記載の無線端末装置。
【請求項６】
前記切替信号に応じて、前記第１期間に前記第２チューナ部への動作電力の供給を制限又は停止し、前記第２期間に前記第１チューナ部への動作電力の供給を制限又は停止する省電力手段を備えることを特徴とする請求項５記載の無線端末装置。
【請求項７】
前記切替信号に応じて、前記第１期間に前記第２ベースバンド処理手段への動作電力又は動作クロック信号の供給を制限又は停止し、前記第２期間に前記第１ベースバンド処理手段への動作電力又は動作クロック信号の供給を制限又は停止する省電力手段を備えることを特徴とする請求項１記載の無線端末装置。
【請求項８】
さらに、前記第１無線信号に対して選択的な利得を有し、受信した信号を前記チューナ手段へ出力する第１アンテナと、
前記第２無線信号に対して選択的な利得を有し、受信した信号を前記チューナ手段へ出力する第２アンテナとを備えるとともに、
前記チューナ手段は、
前記切替信号に応じて、前記第１期間に前記第１アンテナに受信された信号を出力し、前記第２期間に前記第２アンテナに受信された信号を出力するスイッチ部を備え、前記スイッチ部の出力信号を周波数変換することによって前記第１ベースバンド信号および前記第２ベースバンド信号を生成することを特徴とする請求項１記載の無線端末装置。
【請求項９】
前記チューナ手段は、
前記切替信号に応じて、前記第１期間に前記第１無線信号及び前記第２無線信号を含む受信信号から前記第１無線信号を通過させ、前記第２期間に前記第１無線信号及び前記第２無線信号を含む受信信号から前記第２無線信号を通過させる可変帯域通過フィルタ部を備え、
前記可変帯域通過フィルタ部の出力信号を周波数変換することによって前記第１ベースバンド信号および前記第２ベースバンド信号を生成することを特徴とする請求項１記載の無線端末装置。
【請求項１０】
前記第１サービスは複数のセルそれぞれに設けられる送信局から固有の周波数で前記第１無線信号が送信されるセル方式で提供され、かつ前記第２無線信号は当該信号を受信した装置の現在位置を特定するための位置情報を含んでおり、
前記無線端末装置は、受信した第２無線信号に基づいて周期的に自らの現在位置を特定し、当該特定された現在位置が第１セルから第２セルへ移動した場合に、前記第１セルの送信局から送信される第１無線信号の受信を中止し、前記第２セルの送信局から送信される第１無線信号の受信を開始することを特徴とする請求項１記載の無線端末装置。
【請求項１１】
前記第２無線信号は当該信号を受信した装置の現在位置を特定するための位置情報を含んでおり、
前記無線端末装置は、受信した第２無線信号に基づいて周期的に自らの現在位置を特定することによって移動速度を算出し、複数の異なる動作モードのうち当該算出された移動速度に応じた一つに従って前記第１無線信号を受信することを特徴とする請求項１記載の無線端末装置。
【請求項１２】
前記第２無線信号に基づく前記所定の処理に関係する情報を、前記指定番組が表示される表示器に前記指定番組と共に表示することを特徴とする請求項１記載の無線端末装置。
【請求項１３】
前記第１サービスは、ヨーロッパにおけるＤＶＢ(Digital Video Broadcasting:デジタルテレビ放送)、又はＤＡＢ(Digital Audio Broadcasting:デジタル音声放送)であることを特徴とする請求項１記載の無線端末装置。
【請求項１４】
前記第２サービスは、無線ＬＡＮ(Local Area Network)、携帯電話、ＧＰＳ(Global Positioning System)、又は機器の遠隔制御であることを特徴とする請求項１記載の無線端末装置。
【請求項１５】
放送サービスである第１サービスに関係し時分割多重された複数の番組を表すと共に個々の番組が表される期間を表す第１無線信号と、放送、通信、又は測位サービスである第２サービスに関係する第２無線信号とを受信し、前記複数の番組のうち利用者から指定された指定番組の再生と前記第２無線信号に基づく所定の処理とを行う無線端末装置に用いられる１チップＩＣ又はＩＣチップセットであって、
受信された第１無線信号及び第２無線信号を取得する受信信号取得端子と、
切替信号に応じて、取得された第１無線信号を周波数変換して得られる第１ベースバンド信号、及び取得された第２無線信号を周波数変換して得られる第２ベースバンド信号の何れか一方を生成するチューナ回路と、
前記第１ベースバンド信号を第１データ信号に復調する第１ベースバンド処理回路と、
前記第２ベースバンド信号を第２データ信号に復調する第２ベースバンド処理回路と、
前記指定番組を示す信号を取得する番組指定信号取得端子と、
前記第１無線信号の前記指定番組に関係する部分が受信される期間を前記第１データ信号を参照して特定し、当該特定された期間を含む第１期間を示す切替信号を前記チューナ回路へ出力することによって、当該第１期間に前記第１ベースバンド信号を生成し、当該第１期間以外の第２期間に前記第２ベースバンド信号を生成するよう前記チューナ回路を制御する切替指示回路と、
前記第１データ信号及び第２データ信号を出力する出力端子とを備えることを特徴とする１チップＩＣ又はＩＣチップセット。
【請求項１６】
前記チューナ回路は、
前記切替信号に応じて、前記第１期間に前記第１無線信号から前記第１ベースバンド信号を得るための第１周波数のローカル信号を生成し、前記第２期間に前記第２無線信号から前記第２ベースバンド信号を得るための第２周波数のローカル信号を生成する局部発振回路を備え、
前記ローカル信号を用いて前記第１無線信号及び前記第２無線信号を周波数変換することによって前記第１ベースバンド信号及び前記第２ベースバンド信号を生成することを特徴とする請求項１５記載の１チップＩＣ又はＩＣチップセット。
【請求項１７】
前記チューナ回路は、
前記切替信号に応じて、前記第１期間にのみ第１ローカル信号を生成し、前記第１無線信号を当該第１ローカル信号を用いて周波数変換することによって前記第１ベースバンド信号を生成する第１チューナ回路と、
前記切替信号に応じて、前記第２期間にのみ第２ローカル信号を生成し、前記第２無線信号を当該第２ローカル信号を用いて周波数変換することによって前記第２ベースバンド信号を生成する第２チューナ回路とを備えることを特徴とする請求項１５記載の１チップＩＣ又はＩＣチップセット。
【発明の詳細な説明】
【技術分野】
【０００１】
本発明は、無線端末装置に関し、特に、時分割多重された複数の番組を表す放送信号を受信し利用者から指定された番組を再生すると共に、当該放送信号とは別の無線信号を受信し所定の処理を行う無線端末装置に関する。
【背景技術】
【０００２】
近年、放送のデジタル化の動きが活発になり、世界各国でデジタルテレビ放送やデジタルラジオ放送のサービスが開始されている。
特に、ヨーロッパ地域においては、複数の番組を時分割多重して伝送するＤＶＢ−Ｔ（デジタルビデオ放送）サービスやＤＡＢ（デジタル音声放送）サービスが行われており、例えばＰＤＡ携帯情報端末装置による移動受信についても検討されている。
【０００３】
また、通信の分野では、Ｂｌｕｅｔｏｏｔｈ、無線ＬＡＮ（Local Area Network）などの技術がＡＶ（Audio Visual）機器に取り入れられ、携帯電話やインターネットへの無線接続サービスなどの無線通信サービスが実用期を迎えている。
このような状況の中で、利用者への利便の提供を目的として、一台で放送と無線通信の両方のサービスに適応するＡＶ機器、携帯電話機、携帯情報端末装置などが提案されている。
【０００４】
そのような装置の一例として、特許文献１は、ラジオ放送受信機と無線電話機の両方の機能を備える無線通信装置を開示している。
図８は、前記無線通信装置の主要な構成を示す機能ブロック図である。前記無線通信装置が無線電話機として機能しているとき、アンテナ９０１に受信された通信信号が、無線電話系ＲＦ（Radio Frequency）部９０２、ＴＤＭＡ（Time Division Multiple Access）部９０３、音声符号化部９０４による処理を経て音声信号に変換され、スピーカ９０５から音声として出力される。また、マイク９０９に取得されスイッチ９１０によって選択された音声信号が、音声符号化部９０４、ＴＤＭＡ部９０３、無線電話系ＲＦ部９０２による処理を経て通信信号に変換され、アンテナ９０１から送信される。
【０００５】
一方、前記無線通信装置がラジオ放送受信機として機能しているとき、アンテナ９０７に受信された放送信号がラジオ放送受信部９０８で音声信号に変換され、スイッチ９１０、音声符号化部９０４を経て、スピーカ９０５から音声として出力される。
【特許文献１】特開平１１−１１２３７９号公報
【発明の開示】
【発明が解決しようとする課題】
【０００６】
しかしながら、前記無線通信装置は、周波数が異なる通信信号及び放送信号を、それぞれ無線電話系ＲＦ部９０２及びラジオ放送受信部９０８が個々に生成するローカル信号を用いて周波数変換することによって受信するので、両者が生成するローカル信号が互いに干渉し、雑音マージン、動作の安定性、及び装置の調整容易性が損なわれるという問題がある。
【０００７】
また、ローカル信号を生成するための局部発振器と周波数変換器とを２組設けるので、装置の小型化が妨げられるという問題もある。
そして、前記無線通信装置の構成をそのまま、前記ＤＶＢ−Ｔサービスと無線通信サービス等とに適応する無線端末装置に用いたとすれば、ここに挙げた問題が不可避に発生することとなる。
【０００８】
そこで、上記の問題を解決するために、本発明は、時分割多重された複数の番組を表す放送信号を受信し利用者から指定された番組を再生すると共に、当該放送信号とは別の無線信号を受信し所定の処理を行う無線端末装置において、２種類のローカル信号の干渉に起因する問題を回避するための技術を提供することを第１の目的とする。
また、本発明は、そのような無線端末装置を小型に実装可能とすることを第２の目的とする。
【課題を解決するための手段】
【０００９】
本発明の無線端末装置は、放送サービスである第１サービスに関係し時分割多重された複数の番組を表すと共に個々の番組が表される期間を表す第１無線信号と、第２サービスに関係する第２無線信号とを受信し、前記複数の番組のうち利用者から指定された指定番組の再生と前記第２無線信号に基づく所定の処理とを行う無線端末装置であって、切替信号に応じて、受信された第１無線信号を周波数変換して得られる第１ベースバンド信号、及び受信された第２無線信号を周波数変換して得られる第２ベースバンド信号の何れか一方を生成するチューナ手段と、前記第１ベースバンド信号を第１データ信号に復調する第１ベースバンド処理手段と、前記第２ベースバンド信号を第２データ信号に復調する第２ベースバンド処理手段と、前記第１無線信号の前記指定番組に関係する部分が受信される期間を前記第１データ信号を参照して特定し、当該特定された期間を含む第１期間を示す切替信号を前記チューナ手段へ出力することによって、当該第１期間に前記第１ベースバンド信号を生成し、当該第１期間以外の第２期間に前記第２ベースバンド信号を生成するよう前記チューナ手段を制御する切替指示手段とを備え、前記第１データ信号から前記指定番組を再生し、前記第２データ信号を用いて前記所定の処理を行う。
【００１０】
また、前記無線端末装置において、前記チューナ手段は、前記切替信号に応じて、前記第１期間に前記第１無線信号から前記第１ベースバンド信号を得るための第１周波数のローカル信号を生成し、前記第２期間に前記第２無線信号から前記第２ベースバンド信号を得るための第２周波数のローカル信号を生成する局部発振部を備え、前記チューナ手段は、前記ローカル信号を用いて前記第１無線信号及び前記第２無線信号を周波数変換することによって前記第１ベースバンド信号及び前記第２ベースバンド信号を生成することとしてもよい。
【００１１】
また、前記無線端末装置は、さらに、前記第１無線信号に対して選択的な利得を有し、受信した信号を前記チューナ手段へ出力する第１アンテナと、前記第２無線信号に対して選択的な利得を有し、受信した信号を前記チューナ手段へ出力する第２アンテナとを備えるとともに、前記チューナ手段は、前記切替信号に応じて、前記第１期間に前記第１アンテナに受信された信号を出力し、前記第２期間に前記第２アンテナに受信された信号を出力するスイッチ部を備え、前記スイッチ部の出力信号を周波数変換することによって前記第１ベースバンド信号および前記第２ベースバンド信号を生成することとしてもよい。
【００１２】
また、前記無線端末装置において、前記チューナ手段は、前記切替信号に応じて、前記第１期間に前記第１無線信号及び前記第２無線信号を含む受信信号から前記第１無線信号を通過させ、前記第２期間に前記第１無線信号及び前記第２無線信号を含む受信信号から前記第２無線信号を通過させる可変帯域通過フィルタ部を備え、前記可変帯域通過フィルタ部の出力信号を周波数変換することによって前記第１ベースバンド信号および前記第２ベースバンド信号を生成することとしてもよい。
【００１３】
また、前記無線端末装置において、前記第２無線信号に基づく前記所定の処理に関係する情報を、前記指定番組が表示される表示器に前記指定番組と共に表示することとしてもよい。
また、前記無線端末装置において、前記第１サービスは、ヨーロッパにおけるＤＶＢ(Digital Video Broadcasting:デジタルテレビ放送)、又はＤＡＢ(Digital Audio Broadcasting:デジタル音声放送)であることとしてもよい。
【発明の効果】
【００１４】
これらの構成によれば、チューナ手段を第１期間及び第２期間にそれぞれ第１無線信号の受信及び第２無線信号の受信にタイムシェアするので、一つの局部発振部を用いて実現できる。従って、２種類のローカル信号が同時に生成されないので有害な干渉が発生せず、また、装置を小型化（ＩＣチップ上に実装する場合には実装面積を削減）しかつ消費電力を低減できる。
【００１５】
また、前記無線端末装置において、前記第２サービスは双方向通信サービスであり、前記第２ベースバンド処理手段は、前記第２ベースバンド信号を第２データ信号に復調し、かつ前記第２サービスに関する送信用の第３データ信号を第３ベースバンド信号に変調し、さらに、前記第３ベースバンド信号を周波数変換して得た第３無線信号を送信する送信手段を備えることとしてもよい。
【００１６】
また、前記無線端末装置において、前記局部発振部は、さらに前記双方向通信の送信期間に第３周波数のローカル信号を生成し、前記送信手段は、前記第３ベースバンド信号を前記局部発振部によって生成された前記第３周波数のローカル信号を用いて周波数変換することによって第３無線信号を得て送信することとしてもよい。
これらの構成によれば、第２サービスが双方向通信サービスである場合に前記無線端末装置からの信号の送信が可能となる。
【００１７】
また、前記無線端末装置において、前記チューナ手段は、前記切替信号に応じて、前記第１期間にのみ第１ローカル信号を生成し、前記第１無線信号を当該第１ローカル信号を用いて周波数変換することによって前記第１ベースバンド信号を生成する第１チューナ部と、前記切替信号に応じて、前記第２期間にのみ第２ローカル信号を生成し、前記第２無線信号を当該第２ローカル信号を用いて周波数変換することによって前記第２ベースバンド信号を生成する第２チューナ部とを備えることとしてもよい。
【００１８】
この構成によれば、第１チューナ部及び第２チューナ部の両方が同時に動作することがなく、従って、２種類のローカル信号が同時に生成されないので有害な干渉が発生せず、また、装置の消費電力を低減できる。
また、前記無線端末装置は、前記切替信号に応じて、前記第１期間に前記第２チューナ部への動作電力の供給を制限又は停止し、前記第２期間に前記第１チューナ部への動作電力の供給を制限又は停止する省電力手段を備えることとしてもよい。
【００１９】
また、前記無線端末装置は、前記切替信号に応じて、前記第１期間に前記第２ベースバンド処理手段への動作電力又は動作クロック信号の供給を制限又は停止し、前記第２期間に前記第１ベースバンド処理手段への動作電力又は動作クロック信号の供給を制限又は停止する省電力手段を備えることとしてもよい。
これらの構成によれば、有用な動作を行わない期間に各部の動作を停止させるので、前記無線端末装置の消費電力を低減することができる。
【００２０】
また、前記無線端末装置において、前記第１サービスは複数のセルそれぞれに設けられる送信局から固有の周波数で前記第１無線信号が送信されるセル方式で提供され、かつ前記第２無線信号は当該信号を受信した装置の現在位置を特定するための位置情報を含んでおり、前記無線端末装置は、受信した第２無線信号に基づいて周期的に自らの現在位置を特定し、当該特定された現在位置が第１セルから第２セルへ移動した場合に、前記第１セルの送信局から送信される第１無線信号の受信を中止し、前記第２セルの送信局から送信される第１無線信号の受信を開始することとしてもよい。
【００２１】
この構成によれば、第１セル及び第２セルそれぞれにおける第１無線信号が信号強度及び遅延時間について略等しくなる地点をサービスエリアの境界点と定め、そのような境界点において第１無線信号を受信するためのセルを切り替えることができる。これにより、第１セルで行われていた自動利得調整及び有効シンボル期間を決める同期信号の捕捉をやり直すことなく第２セルでの受信を開始できるので、セルを跨ぐ際に画像及び音声が途切れる危険性を小さくできる。
【００２２】
また、前記無線端末装置において、前記第２無線信号は当該信号を受信した装置の現在位置を特定するための位置情報を含んでおり、前記無線端末装置は、受信した第２無線信号に基づいて周期的に自らの現在位置を特定することによって移動速度を算出し、複数の異なる動作モードのうち当該算出された移動速度に応じた一つに従って前記第１無線信号を受信することとしてもよい。
【００２３】
この構成によれば、具体的に、自動利得制御量の追従性、並びに、信号等化処理における補正量の追従性を、移動受信時には固定受信時に比べて高めることによって、移動受信時にしばしば生じる急激なフェージングの影響を緩和することができる。
さらに、前記無線端末装置において、前記第２無線信号に基づく前記所定の処理に関係する情報を、前記指定番組が表示される表示器に前記指定番組と共に表示することとしてもよい。
【００２４】
この構成によれば、前記指定番組の視聴と前記所定の処理に関係する情報の確認とが同時に行えることで利用者に利便を提供できる。例えば、ショッピング番組である指定番組を視聴しながら、前記所定の処理としてインターネットを経由して商品を注文する場合に好適である。
また、本発明の１チップＩＣ又はＩＣチップセットは、放送サービスである第１サービスに関係し時分割多重された複数の番組を表すと共に個々の番組が表される期間を表す第１無線信号と、放送、通信、又は測位サービスである第２サービスに関係する第２無線信号とを受信し、前記複数の番組のうち利用者から指定された指定番組の再生と前記第２無線信号に基づく所定の処理とを行う無線端末装置に用いられる１チップＩＣ又はＩＣチップセットであって、
受信された第１無線信号及び第２無線信号を取得する受信信号取得端子と、切替信号に応じて、取得された第１無線信号を周波数変換して得られる第１ベースバンド信号、及び取得された第２無線信号を周波数変換して得られる第２ベースバンド信号の何れか一方を生成するチューナ回路と、前記第１ベースバンド信号を第１データ信号に復調する第１ベースバンド処理回路と、前記第２ベースバンド信号を第２データ信号に復調する第２ベースバンド処理回路と、前記指定番組を示す信号を取得する番組指定信号取得端子と、前記第１無線信号の前記指定番組に関係する部分が受信される期間を前記第１データ信号を参照して特定し、当該特定された期間を含む第１期間を示す切替信号を前記チューナ回路へ出力することによって、当該第１期間に前記第１ベースバンド信号を生成し、当該第１期間以外の第２期間に前記第２ベースバンド信号を生成するよう前記チューナ回路を制御する切替指示回路と、前記第１データ信号及び第２データ信号を出力する出力端子とを備える。
【００２５】
また、前記１チップＩＣ又はＩＣチップセットにおいて、前記チューナ回路は、前記切替信号に応じて、前記第１期間に前記第１無線信号から前記第１ベースバンド信号を得るための第１周波数のローカル信号を生成し、前記第２期間に前記第２無線信号から前記第２ベースバンド信号を得るための第２周波数のローカル信号を生成する局部発振回路を備え、前記ローカル信号を用いて前記第１無線信号及び前記第２無線信号を周波数変換することによって前記第１ベースバンド信号及び前記第２ベースバンド信号を生成することとしてもよい。
【００２６】
さらに、前記１チップＩＣ又はＩＣチップセットにおいて、前記チューナ回路は、前記切替信号に応じて、前記第１期間にのみ第１ローカル信号を生成し、前記第１無線信号を当該第１ローカル信号を用いて周波数変換することによって前記第１ベースバンド信号を生成する第１チューナ回路と、前記切替信号に応じて、前記第２期間にのみ第２ローカル信号を生成し、前記第２無線信号を当該第２ローカル信号を用いて周波数変換することによって前記第２ベースバンド信号を生成する第２チューナ回路とを備えることを特徴とする請求項１５記載の１チップＩＣ又はＩＣチップセット。
【００２７】
これらの構成によれば、前述と同様の効果を発揮する１チップＩＣ又はＩＣチップセットを得ることができる。
【発明を実施するための最良の形態】
【００２８】
本発明の実施の形態について、図面を参照しながら詳細に説明する。
（実施の形態１）
本発明の実施の形態１における無線端末装置は、放送サービスである第１サービスに関係し時分割多重された複数の番組を表すと共に個々の番組が表される期間を表す第１無線信号と、測位サービスである第２サービスに関係する第２無線信号とを受信し、前記複数の番組のうち利用者から指定された指定番組を再生すると共に、前記第２無線信号に基づいて自らの現在位置を特定する。
【００２９】
本無線端末装置は、可搬型テレビ受信機、ノート型パーソナルコンピュータ、携帯電話機、携帯型情報端末装置などの形に実現されてもよい。
（全体構成）
図１は、実施の形態１における無線端末装置の全体構成を示す機能ブロック図である。
第１アンテナ１１は前記第１無線信号を選択的に受信し、第２アンテナ１２は前記第２無線信号を選択的に受信する。このような選択性は、例えば、第１無線信号と第２無線信号の周波数が異なる場合に、周波数に関する選択性として実現できる。
【００３０】
チューナ部２０は切替信号に応じて、第１無線信号を周波数変換して得られる第１ベースバンド信号及び受信された第２無線信号を周波数変換して得られる第２ベースバンド信号の何れか一方のみを出力し、第１ベースバンド処理部４０は前記第１ベースバンド信号を第１データ信号に復調し、第２ベースバンド処理部５０は前記第２ベースバンド信号を第２データ信号に復調する。
【００３１】
切替指示部６０は前記第１データ信号と、前記指定番組を示す番組指定信号とを参照して、第１無線信号が前記指定番組を表す期間を特定し、当該特定された期間の一つ一つをそれぞれが包含する複数の第１期間を示す切替信号をチューナ部２０へ出力することにより、当該第１期間に前記第１ベースバンド信号を出力し、当該第１期間以外の第２期間に前記第２ベースバンド信号を出力するようチューナ部２０を制御する。
【００３２】
番組再生部８１は前記第１データ信号から指定番組について音声情報及び映像情報を再生し、当該音声情報によって表される音声をスピーカ９１から出力し、当該映像情報によって表される映像を表示部９２に表示する。
現在位置特定部８２は周期的に前記第２データ信号を参照して本無線端末装置の現在位置を特定し、特定された位置を示す位置データを制御部８５へ出力する。
【００３３】
制御部８５は当該位置データに基づいて、本無線端末装置の移動速度、移動方向を算出し、現在位置、移動方向、及び移動速度を利用者に知らせる位置表示情報を前記指定番組の映像と共に表示部９２に表示する。また、制御部８５は、算出された移動速度に応じて移動受信及び固定受信の何れかを示す受信条件信号をチューナ部２０及び第１ベースバンド処理部４０へ出力する。
【００３４】
入力部９５は利用者から番組の指定操作を受け付け、当該指定操作を表す操作情報を制御部８５へ出力する。制御部８５は当該操作情報に基づいて利用者が指定した指定番組を示す番組指定信号を切替指示部６０へ出力する。
図１において、本発明の主要部を破線で囲って示す。この主要部における構成要素のうち、例えば、チューナ部２０はアナログ信号処理回路を用いて実現され、第１ベースバンド処理部４０、第２ベースバンド処理部５０、及び切替指示部６０はＤＳＰ（Digital Signal Processor）を用いて行われるデジタル信号処理機能として実現されてもよい。その場合には、この主要部を、例えば１チップのアナログ−デジタル混成ＩＣとして実装するか、又はアナログＩＣチップとデジタルＩＣチップとからなるチップセットとして実装することができる。
（表示内容例）
図２は、表示部９２における表示内容の一例である。表示部９２は、例えば液晶表示パネル、ＥＬ（Electro Luminescence）表示パネル等のビットマップ表示可能な表示デバイスを用いて実現され、所定の情報をマルチウィンドウ表示する。ここでは、前記指定番組の映像と位置情報とがそれぞれウィンドウ９３及びウィンドウ９４に表示されている例を示す。ウィンドウ９４には、位置情報の一例として、緯度、経度、移動速度、及び移動方向が示されている。
（主要部の詳細構成）
図３は、主要部の詳細構成を示す機能ブロック図である。
【００３５】
チューナ部２０において、第１スイッチ回路２１は切替信号に応じて前記第１期間及び前記第２期間にそれぞれ第１無線信号及び第２無線信号を出力し、可変帯域通過フィルタ２２はＰＬＬ制御部２６の出力信号に応じて前記第１期間及び前記第２期間にそれぞれ第１無線信号及び第２無線信号のみを通過させ、ＲＦ増幅回路２３は可変帯域通過フィルタ２２の出力信号を増幅する。
【００３６】
電圧制御発振器２７は切替信号に応じて前記第１期間に前記第１ベースバンド信号を所定の周波数帯域に得るための第１周波数のローカル信号を生成し、前記第２期間に前記第２ベースバンド信号を前記所定の周波数帯域に得るための第２周波数のローカル信号を生成する。ＰＬＬ制御部２６は基準発振器２５が生成する基準周波数に基づいて電圧制御発振器２７の発振周波数をＰＬＬ（Phase Locked Loop）制御する。
【００３７】
周波数変換器２４は電圧制御発振器２７によって生成されたローカル信号を用いてＲＦ増幅回路２３の出力信号をベースバンド信号に変換し、ローパスフィルタ２８は周波数変換器２４の出力信号から前記所定の周波数帯域以外の信号を除去し、ベースバンド増幅回路２９はローパスフィルタ２８の出力信号を増幅し、第２スイッチ回路３１はベースバンド増幅回路２９の出力信号を切替信号に応じて前記第１期間及び前記第２期間にそれぞれ第１ベースバンド処理部４０及び第２ベースバンド処理部５０へ出力する。
【００３８】
第１ベースバンド処理部４０において、同期検出部４１は第１ベースバンド信号に含まれる同期シンボルを検出し、等化部４２は伝送路特性の影響によって第１ベースバンド信号に生じる位相回転及び振幅変動を検出された同期シンボルに基づいて補正し、誤り訂正部４３は等化後の第１ベースバンド信号を最尤復号等の誤り訂正機能を有する復号方法を用いて第１データ信号に復号する。
【００３９】
第２ベースバンド処理部５０もまた、第１ベースバンド処理部４０と同様に構成される。
切替指示部６０において、番組タイミング判定部６１は第１無線信号が前記指定番組を表す期間を特定し、切替信号生成部６２は当該特定された期間を含む第１期間を示す切替信号を生成する。
【００４０】
主要部を構成するこれらの要素の中で、特にＲＦ増幅回路２３、ベースバンド増幅回路２９、及び等化部４２は、受信条件信号が移動受信及び固定受信の何れを示すかに応じてその動作特性を変更してもよい。具体的に、ＲＦ増幅回路２３、及びベースバンド増幅回路２９がＡＧＣ制御される場合の調整量の追従性、並びに、等化部４２が第１ベースバンド信号に与える補正量の追従性を、移動受信時には固定受信時に比べて高めることによって、移動受信時にしばしば生じる急激なフェージングの影響を緩和できる。
（第１無線信号の内容例）
図４の上段に受信される第１無線信号の内容例を示す。ここでは、時分割多重された４つの番組を表す第１無線信号を例示する。個々の番組の音声及び映像は、周期的に割り当てられるタイムスライスにおいて表される。第１無線信号は、個々の番組に割り当てられる各タイムスライスの期間を表す情報を含むものとする。当該情報は、例えば、多重されている番組数、各タイムスライスの長さ、及び番組ごとに次のタイムスライスの開始時期を表す情報であって、個々の番組に多重されて第１無線信号に含まれているとしてもよいし、多重される番組数や各タイムスライスの長さが予め定められる場合には、単にタイムスライスの区切りを示す同期情報であってもよい。
（動作）
以下、本無線端末装置の動作について説明する。
【００４１】
初期状態において、切替信号はチューナ部２０が第１無線信号を常に復調するように固定される。初期状態において得られる第１データ信号は、復調処理による若干の遅れがあることを除いて、図４の上段に示した第１無線信号によって表される番組と同一の番組を表す。
時分割多重されている複数の番組が判明した後、制御部８５は当該複数の番組のうち再生すべき指定番組の選択を、入力部９５を介して利用者から受け付け、当該指定番組を表す番組指定信号を番組タイミング判定部６１へ出力する。番組タイミング判定部６１は、第１データ信号から当該指定番組に割り当てられる各タイムスライスの期間を表す情報を参照して第１無線信号が前記指定番組を表す期間を判定し、切替信号生成部６２は判定された期間を含む第１期間を示す切替信号の出力を開始する。
【００４２】
前記指定番組が表される期間を前後にそれぞれ、切り替えの際にチューナ部２０の動作が安定するために要する時間、及び第１無線信号を復調するために要する時間延長して得られる期間を、当該第１期間と定めてもよい。
図４の中段に番組２が指定された場合の切替信号の例を示す。
切替信号の出力が開始された後、チューナ部２０は切替信号に従って、第１無線信号と第２無線信号とをタイムシェア処理する。即ち、第１期間に第１無線信号を周波数変換して得た第１ベースバンド信号を出力し、第２期間に第２無線信号を周波数変換して得た第２ベースバンド信号を出力する。
【００４３】
図４の下段にチューナ部２０からの出力信号の内容の例を示す。
切替信号生成部６２は、第１ベースバンド処理部４０及び第２ベースバンド処理部５０へも切替信号を供給することにより、第１ベースバンド処理部４０を第１期間にのみ動作させ、及び第２ベースバンド処理部５０を第２期間にのみ動作させてもよく、また、第１ベースバンド処理部４０及び第２ベースバンド処理部５０をベースバンド信号が供給されない期間に自ら動作を停止するように構成してもよい。
【００４４】
また、切替信号生成部６２は、第１スイッチ回路２１、電圧制御発振器２７、及び第２スイッチ回路３１それぞれに、信号の遅延時間を考慮した最適な切り替えタイミングを示す個別の切替信号を供給することによって、各部の動作を切り替えてもよい。
（セル方式で送信される第１無線信号の受信）
前記第１サービスが、複数のセルそれぞれに設けられる送信局から固有の周波数で第１無線信号を送信するセル方式によって提供される場合、本無線端末装置は第２無線信号から得られる位置データに応じて第１無線信号を受信するためのセルを切り替えてもよい。
【００４５】
そのために、例えば、サービスエリアと第１無線信号の送信周波数とをセルごとに示す情報（不図示）を制御部８５に予め記憶しておき、前記位置データによって示される現在位置が第１セルのサービスエリアから第２セルのサービスエリアへ移動した場合に、第１期間に生成するローカル信号の周波数を変更することによって、前記第１セルの送信局から送信される第１無線信号の受信を中止し、前記第２セルの送信局から送信される第１無線信号の受信を開始してもよい。
【００４６】
図５は、２つのセルの送信局から送信される第１無線信号の信号強度及び遅延時間の傾向を示すグラフである。図に見られるように、２つのセルそれぞれの第１無線信号が信号強度及び遅延時間について略等しくなる地点をサービスエリアの境界点とすることができる。現在位置がそのような境界点を越えるときに第１無線信号を受信するためのセルを切り替えれば、ＡＧＣの調整及び有効シンボル期間を決める同期信号の捕捉をやり直すことなく新たなセルにおいて第１無線信号を受信できるので、セルを跨ぐ際に画像及び音声が途切れる危険性を小さくできる。
（第１のまとめ）
本実施の形態の構成によれば、チューナ部２０をタイムシェア動作させることによって第１期間及び第２期間にそれぞれ第１無線信号の受信及び第２無線信号の受信に共用するので、一つの局部発振部を用いて実現できる。従って、２種類のローカル信号が同時に生成されないので有害な干渉が発生せず、また、装置を小型化（ＩＣチップ上に実装する場合には実装面積を削減）しかつ消費電力を低減できる。
【００４７】
なお、第１アンテナ１１と第２アンテナ１２とを１つのアンテナで共用してもよい。
また、前記第１期間に第２ベースバンド処理部への動作電力又は動作クロック信号の供給を制限又は停止し、前記第２期間に第１ベースバンド処理部への動作電力又は動作クロック信号の供給を制限又は停止する省電力制御部（不図示）を設けてもよい。当該省電力制御部を設けることによって、各部が有用な処理を行わない期間に消費する無駄な電力を最小限に抑えることができる。
（実施の形態２）
本発明の実施の形態２における無線端末装置は、実施の形態１における無線端末装置と比べて、前述した第１サービスと共に双方向通信サービスである第２サービスに適応する点で異なる。
【００４８】
本無線端末装置が適応する第２サービスとして、例えばインターネットへの無線接続サービス（そのアクセスポイントはホットスポットとして知られている）、無線ＬＡＮ（Local Area Network）、家電機器の無線制御などが想定される。そして、第２無線信号に基づく処理に関係して、第１サービスの指定番組と共に表示される情報として、例えばＷＥＢページ、インターネットを経由して前記第１サービスとは別に配信される放送番組、制御対象となる家電機器の状態などが考えられる。
【００４９】
以下、主として実施の形態１と異なる事項について説明する。
（全体構成）
図６は、実施の形態２における無線端末装置の全体構成を示す機能ブロック図である。実施の形態１における構成要素と同一の構成要素には同一の符号を付して示す。
本無線端末装置は、実施の形態１における無線端末装置と比べて、現在位置特定部８２の代わりに通信データ処理部８３を備え、第２ベースバンド処理部５５が変更されると共に、送受制御部７１、送信部７２、及び第３スイッチ回路７３が追加される。
【００５０】
通信データ処理部８３は第２データ信号から受信用通信データを取り出して制御部８５へ出力し、制御部から供給される送信用通信データから第３データ信号を構成して第２ベースバンド処理部５５へ出力する。このようなデータの取り出し及び構成は、例えばＩＰ（インターネットプロトコル）に従って実行されてもよい。
以下簡明のため、ＴＤＤ（時分割二重化）方式で双方向通信が行われるものとして説明する。
【００５１】
送受制御部７１は第２データ信号を参照して双方向通信における受信期間と送信期間とを表す送受制御信号を出力し、第２ベースバンド処理部５５は、受信期間には実施の形態１の第２ベースバンド処理部５０と同様に第２ベースバンド信号を第２データ信号に復調し、送信期間には第３データ信号を第３ベースバンド信号に変調し、送信部７２はチューナ部２０において電圧制御発振器２７（図３参照）が生成したローカル信号を用いて第３ベースバンド信号を第３無線信号に周波数変換し、第３スイッチ回路７３は送受制御信号に応じて受信期間には第２無線信号を第２アンテナ１２からチューナ部２０へ伝達し、送信期間には第３無線信号を送信部７２から第２アンテナ１２へ伝達する。
【００５２】
電圧制御発振器２７は、実施の形態１で説明した切替信号に加えて前記送受制御信号に応じて、第１無線信号の受信用、第２無線信号の受信用、及び第３無線信号の送信用の３種類の周波数の何れかのローカル信号を生成してもよい。
（第２のまとめ）
本実施の形態の構成によれば、チューナ部２０をタイムシェア動作させることによって第１期間及び第２期間にそれぞれ第１無線信号の受信及び第２無線信号の受信に共用するので、一つの局部発振部を用いて実現できる。しかも、当該一つの局部発振部は第３無線信号の送信にも共用される。従って、２種類のローカル信号が同時に生成されないので有害な干渉が発生せず、また、装置を小型化（ＩＣチップ上に実装する場合には実装面積を削減）しかつ消費電力を低減できる。
【００５３】
なお、第２無線信号を通してアクセスポイントに応じた位置情報が得られる場合には当該位置情報に基づいて、実施の形態１で説明したように第１無線信号の受信動作、及び第１無線信号を受信するセルの切り替えを行ってもよい。
（実施の形態３）
本発明の実施の形態３における無線端末装置は、実施の形態１における無線端末装置と比べて、チューナ部２０の詳細な構成が異なる。
【００５４】
以下、主として実施の形態１と異なる事項について説明する。
（主要部の詳細構成）
図７は、実施の形態３における無線端末装置の主要部の詳細構成を示す機能ブロック図である。この主要部は、実施の形態１における無線端末装置の主要部と比べて、第１チューナ部３６及び第２チューナ部３７の２つの回路ブロックから構成されるチューナ部３５を備えると共に、電源供給を制御するための省電力制御部６５が追加される点で異なる。
【００５５】
第１チューナ部３６及び第２チューナ部３７は、個々に局部発振部及び周波数変換部を有し、第１チューナ部３６は第１無線信号を第１ベースバンド信号に周波数変換し、第２チューナ部３７は第２無線信号を第２ベースバンド信号に周波数変換する。
第１チューナ部３６と第１ベースバンド処理部４０とが第１電源によって動作する第１給電ブロックに含まれ、第２チューナ部３７と第２ベースバンド処理部５０とが第２電源によって動作する第２給電ブロックに含まれる。
【００５６】
省電力制御部６５は切替信号に応じて第１期間に第１電源のみを供給し第２期間に第２電源のみを供給する。
（第３のまとめ）
本実施の形態の構成によれば、第１チューナ部３６及び第２チューナ部３７の両方が同時に動作することがなく、従って、２種類のローカル信号が同時に生成されないので有害な干渉が発生せず、また、装置の消費電力を低減できる。
【産業上の利用可能性】
【００５７】
本発明に係る無線端末装置は、時分割多重された複数の番組を表す放送信号を受信し利用者から指定された番組を再生すると共に、当該放送信号とは別の無線信号を受信し所定の処理を行う可搬型テレビ受信機、ノート型パーソナルコンピュータ、携帯電話機、携帯型情報端末装置などに適用される。
【図面の簡単な説明】
【００５８】
【図１】本発明の第１の実施形態に係る無線端末装置の全体構成を示す機能ブロック図である。
【図２】表示部に表示される画像例である。
【図３】第１の実施形態に係る無線端末装置の主要部の詳細構成を示す機能ブロック図である。
【図４】受信される第１無線信号、切替信号、及びチューナ部の処理内容を示すタイミングチャートである。
【図５】２つのセルそれぞれの送信局から受信される第１無線信号の信号強度と遅延時間の傾向を示すグラフである。
【図６】第２の実施形態に係る無線端末装置の全体構成を示す機能ブロック図である。
【図７】第３の実施形態に係る無線端末装置の主要部の詳細構成を示す機能ブロック図である。
【図８】従来技術に係る無線通信装置の全体構成を示す機能ブロック図である。
【図１】
2006524465.tif 000003
【図２】
2006524465.tif 000004
【図３】
2006524465.tif 000005
【図４】
2006524465.tif 000006
【図５】
2006524465.tif 000007
【図６】
2006524465.tif 000008
【図７】
2006524465.tif 000009
【図８】
2006524465.tif 000010
【国際調査報告】
2006524465.tif 000011
2006524465.tif 000012
2006524465.tif 000013
2006524465.tif 000014
2006524465.tif 000015
2006524465.tif 000016